(57)【要約】      （修正有）【課題】上蓋を指先１本で開け得て、落下した衝撃では破損せず上蓋とペーパー収納部とが容易に分離し、簡単に原形復帰できる硬質容器を提供する。【解決手段】扁平長方形の硬質合成樹脂製のペーパー収納部に、ペーパー取出口を有する上蓋が、両者の後方長辺部にて回動開閉する携帯用テイッシュペーパーの収納容器において、ペーパー収納部１の両短辺内壁５と前方長辺内壁６を、夫々外側から覆う両短辺外壁７と切欠辺部８のある長辺外壁９とを有する上蓋３と、両短辺内壁５の前方寄りに、上蓋下げ止め突部１０と側面突起１１を設ける。さらに、両短辺外壁７の後方長辺部近傍下角に、夫々内方に突出した短軸を、後方長辺内壁１３の両端側面の下角にある丸穴に内接回動させ、上蓋３の回動開閉手段として携帯用テイッシュペーパー収納容器とする。【選択図】図１
0003152932.tif 000002
【実用新案登録請求の範囲】
【請求項１】
全体として扁平長方形状のほぼ硬質な合成樹脂にてなるペーパー収納部（１）に、同素材にてなる中央部にペーパー取出口（２）を有する上蓋（３）が、両者の一方の長辺部分を後方として、該後方長辺部分の近傍にて互いに回動して前方を開閉する携帯用テイッシュペーパーの収納容器において、上記上蓋（３）の後方長辺部（４）を除く他の３辺は、対応する上記ペーパー収納部（１）の両短辺内壁（５）と前方長辺内壁（６）を、それぞれ外側から覆い、かつ、該短辺内壁（５）と前方長辺内壁（６）よりも、やや幅高とする短辺外壁（７）及び下辺の中央部を切欠辺部（８）とした長辺外壁（９）とすると共に、上記ペーパー収納部（１）の両短辺内壁（５）の上記前方長辺内壁（６）寄りに、上蓋下げ止め突部（１０）と側面突起（１１）とを設け、更に、上記上蓋（３）の回動開閉機構として、上記両短辺外壁（７）の上記後方長辺部（４）近傍下角に、それぞれ内方に突出した短軸（１２）を設け、上記ペーパー収納部（１）の後方長辺内壁（１３）の両端側面の下角には、上記両短軸（１２）を内接回動させるための丸穴（１４）を設けて、上記上蓋（３）の回動開閉手段としたことを特徴とする携帯用テイッシュペーパーの収納容器。
【請求項２】
ペーパー収納部（１）の後方長辺内壁（１３）の裏面に、該後方長辺内壁（１３）の全長に亘って該後方長辺内壁（１３）の高さ近くまで達する深さを有した細幅間隙（１５）を複数直列に配設した請求項１記載の携帯用テイッシュペーパーの収納容器。
【請求項３】
ペーパー収納部（１）及び上蓋（３）を、不透明な着色材とした請求項１又は請求項２記載の携帯用テイッシュペーパーの収納容器。
【考案の詳細な説明】
【技術分野】
【０００１】  この考案は、携帯用テイシュペーパーを入れおくための、ほぼ硬質な扁平状の収納容器に関するものであり、特に、全ての角部には丸みを設け、掌など皮膚に傷みを与えることなく、蓋を指先１本で開閉できるようにした開閉式の容器である。
【背景技術】
【０００２】  携帯用のテイシュペーパーは、販促用として無料で配布を受けることから多用されている。しかし、その包装は軟弱であり、携帯していて形崩れや損傷しやすいものである。
また、広告が印刷されていることから、場所によっては目障りで使い難い問題もある。【０００３】  そこで、ほぼ硬質で扁平状の収納容器が多数提案されている。そして、テイシュペーパー（以後、「ペーパー」という。）の収納手段としては、扁平ケース状の収納容器の一辺部を開口部とし、その一辺部からスライドさせて挿入させるものも見受けられるが、ペーパー使用後の排出時に摘み出すのが面倒であることから、多くの容器は、長辺の一辺を軸にして、上蓋の他辺を持上げ、又は押し下げする蓋の回動開閉式のものである。【０００４】  例えば、ペーパーを入れる箱本体に蝶番付けされた上蓋と、中央にペーパー取出口がある中蓋が箱本体に収納され、この中蓋の下にペーパーを収納して成る考案の名称「携帯用テイッシュペーパー収納ケース」というものがある。（例えば、特許文献１参照。）。【０００５】  また、ペーパー取出口の形状を、ハート形のように幾種類か紹介し、ペーパーを入れる容体の裏側に、他物への固定手段を設けられるようにしたものであるとし、容体と蓋とをヒンジにより繋がるように一体成形したことを特徴とした考案の名称「ポケットテイッシュペーパーケース」というものがある。（例えば、特許文献２参照。）。【０００６】  同じくペーパーを収納する透明又は半透明の材料にてなる下方保持部と、不透明な材料にて中央にペーパー取出口がある上方保持部とで構成され、両者の結合は一方の短辺をヒンジとして一体成形するか、両者の材料の違いの場合は、薄いプラスチックテープの加熱溶着なり、凹凸の嵌合なりにて連接されている考案の名称「携帯テイッシュペーパー用ケース」というものがある。（例えば、特許文献３参照。）。【０００７】
【先行技術文献】
【特許文献】
【０００８】
【特許文献１】実開昭５８−１２３９７号公報（１頁、第２図）
【特許文献２】実開平０６−３５１８２号公報（２頁、図２）
【特許文献３】実登第３０４６６１号公報（５〜９頁、図２）
【考案の概要】
【考案が解決しようとする課題】
【０００９】  上述の特許文献１は、上蓋の裏面に鏡を設けるために、別にペーパー取出口がある中蓋を必要としたものであるが、いずれにしても、上蓋と箱本体とは長辺の一辺全長に亘り蝶番付けされたものとしている。蝶番付けは、上蓋の開閉手段としては回動がスムーズで、かつ、結合が強固であって一般的には好ましいものであると言える。【００１０】  しかしながら、携帯テイッシュペーパー用ケースの場合は、必ずしも好ましいとは言えないのである。何故かと言うと、男性が使用する場合などは、ズボンのポケットなどに入れて持ち歩くことが多い。したがって、立ち姿勢のままで取り出した際に、うっかりして硬い地面上に落すと、強固な結合と硬質であることがわざわいして、ケース自体が破損しやすいからである。また、蝶番付きはコストが高くなる欠点がある。まして、鏡や中蓋まで設けては重いしコスト高となってしまう。【００１１】  特許文献２のペーパー取出口の、各種ある形状変更例示は意匠上の問題であり、ペーパーを入れる容体の裏側に他物への固定手段を設けた点も、この際は別問題である。
ここで先願として比較すべき構成点は、容体と蓋とをヒンジにより繋がるように一体成形したことである。確かに、一体成形できることはコストを下げ得るが、同材質の合成樹脂によるヒンジは、該所を薄くすることとなるから、屈曲頻度に耐えなく折損若しくは切損しやすい欠点がある。まして、目的からして容体と蓋の材質は硬質気味の材料を採用するから尚更折損しやすくなり大きな欠点となっている。【００１２】  特許文献３では、ペーパー収納部である下方保持部と、上蓋である上方保持部とで、色違いをも考慮したもの、すなわち、一体成形できないことを前提としているので、両者の結合を薄いプラスチックテープの加熱溶着なり、それぞれ対応する個所に設けられた凹部と凸部とを嵌合させることにより連接させるとしているが、テープの加熱溶着は、全くの別工程を必要とするし、凹部と凸部とでの連接は、具体的記載がないので比較できない。【００１３】  また、該品は、閉鎖状態維持手段として係合部を短辺側に設けたから、普通にケースを握るときは長辺側ゆえに、握ったときでも係合部を手に直接触れることがないとし、下方保持部側の係合部を押圧しなければ開かないから、自然に開くことはないとしている。
このこと自体は好ましいことだとしても、この係合部を採用することは、逆に開け難いということになり、開けるときはケースを片手で保持し、他の手の親指と人指し指を用いて、係合部を跳ね上げなければ外れないことになる。【００１４】  そこで、手に持っても掌に馴染んで持ちやすく、使用時には指先１本で上蓋を開けることが出来、しかも、上蓋は、逆さまにしたり、少しくらいの動揺では、簡単に開かない構造の容器としたい。加えて、落下したときは、衝撃で上蓋とペーパー収納部が破損することなく容易に分離するようになし、拾ってその場で両者を結合させ得て、簡単に原形復帰できるような構成の携帯用テイッシュペーパー収納容器とすることが目的である。
勿論、両者を分離できる構成とすれば、上蓋とペーパー収納部とで色彩を異にすることが、容易にできるようになる。
【課題を解決するための手段】
【００１５】  図１及び図７に見るような、全体として扁平長方形状のほぼ硬質な合成樹脂にてなるペーパー収納部１と、中央部にペーパー取出口２を有し、ペーパー収納部１と同素材にてなる上蓋３が、両者の一方の長辺部分を後方とした後方長辺部分の近傍にて互いに回動して開閉する構成の携帯用テイッシュペーパーの収納容器において、図２及び図３に示す上蓋３の後方長辺部４を除く他の３辺は、対応するペーパー収納部１の両短辺内壁５と前方長辺内壁６とを、それぞれ外側から覆い重ね、しかも、短辺内壁５と前方長辺内壁６よりも、やや幅高とした短辺外壁７及び下辺中央部を切欠辺部８とした長辺外壁９とする。【００１６】  そして、ペーパー収納部１の両短辺内壁５の前方の長辺内壁６寄りには、上蓋下げ止め突部１０と側面突起１１とをそれぞれ設ける。
更に、図３に見る如く、上蓋３の回動開閉機構として、両短辺外壁７の後方長辺部４近傍下角に、それぞれ内方に突出した短軸１２を設ける。また、図６及び図７に示すように、ペーパー収納部１の後方長辺内壁１３の両端側面の下角には、両短軸１２を内接回動させるための丸穴１４を設けて、上蓋３の回動開閉手段としたことを特徴とする携帯用テイッシュペーパー収納容器とした。【００１７】  なお、上蓋３の長辺外壁９と両短辺外壁７そのものは、ペーパー収納部１の前方長辺内壁６や両短辺内壁５とは全く接触しないよう互いに隙間を有した構成とし、両短辺内壁５から外方へ突出している両側面突起１１のみが、上蓋３の両短辺外壁７の内側面に当接する構成とする。当然、この当接圧は、側面突起１１の高さ、接触表面の平滑さ、成形素材の性質などにより微妙に変化するが、組立てて逆さにしても、普通に動揺させても上蓋が開かないような摩擦力になるよう設計することが肝要である。【００１８】  また、言うまでもなく、少なくとも上蓋３の長辺外壁９の両端部は、手触りをよくするために丸みを設けたものとする。
更に、ペーパー取出口２の形状そのものを、図示では楕円形状としているが、菱形、長方形、ハート形など、いずれでもよいことは当然だが、短辺外壁７方向の開口の長さを、親指と人指し指を該方向にしてペーパーを摘み出しやすいように十分な開口長とする。【００１９】  また、ペーパー収納部１の後方長辺内壁１３の裏面には、図５に示すように、その後方長辺内壁１３の全長に亘って後方長辺内壁１３の高さ近くまで達する深さを有した細幅間隙１５を複数直列に配設したものとするもよい。
なお、ペーパー収納部１及び上蓋３の両者を、半透明なり、自由に選択した色に着色された不透明材となるようにしたものとするもよい。
【考案の効果】
【００２０】  この考案の携帯用テイッシュペーパー収納容器は、その容器の構成材料として不透明材を採用すれば、ペーパーの販促用広告などは見えなくなり、また、全体として適当な重量を有したものとなるから、机上及び自動車内などに置き得るようになった。
更に、壁面に吊下げて使用できるようにもなって、大きなテイッシュペーパー箱よりも場所を取らず、人前でも便利に使えるようになり得たのである。【００２１】  また、容器の構成において、上蓋３がペーパー収納部１に対し、短軸１２と丸穴１４との比較的短い部分での結合だから、長尺の蝶番とは異なって、回動に対して摩擦が小さく上蓋３を斜めに開き上げて、その状態で落とせば、自重でも閉じるようになる。【００２２】  加えて、上蓋３の長辺外壁９と両短辺外壁７そのものは、ペーパー収納部１の前方長辺内壁６や両短辺内壁５とは全く接触しない大きさとしており、両短辺内壁５から外方へ突出している両側面突起１１のみが、上蓋３の両短辺外壁７の内側面に当接する構成としているから、閉じた状態から、上蓋３を開くときは、片手でペーパー収納部１の前後である前方長辺内壁６と後方長辺内壁１３を保持さえすれば、もう一方の手は指先１本のみで、上蓋３の切欠辺部８を押し上げ得て、至極簡単に開くようになった。【００２３】  加えて、本考案品をポケットなどから取り出した際に、うっかり落としてしまっても、落下の衝撃で両短軸１２は、丸穴１４から簡単に外れるから、上蓋３とペーパー収納部１とが分離することによって、全体として破壊する虞が少なくなったのである。
また、原状復帰も合成樹脂製だから、落下分離したその場所で、短辺外壁７の短軸１２を有する辺りを親指で押し広げるようにすれば、両短辺外壁７間は簡単に撓るから、容易に丸穴１４へ嵌着し得て、組合せることができるのである。【００２４】  また、上蓋下げ止め突部１０の存在は、短辺内壁５の重量軽減と材料節約の効果があると共に、上蓋下げ止め突部１０を設けないで短辺内壁５の全高を上蓋３の短辺外壁７の内側の高さと同じにすると、箱型をしている上蓋３の開閉時に、上蓋３の長辺外壁９の下辺が、ペーパー収納部１の高くなる前方長辺内壁６の上辺に当接しやすくなるので、この当接をも防止している役目も果たしていることになる。【００２５】  更に、ペーパー収納部１の後方長辺内壁１３に、丸穴１４を設けるために他所よりも肉厚にすると、成形時に生じやすい表面凹凸や反りが生じやすくなるが、目立たぬように後方長辺内壁１３の裏面から、後方長辺内壁１３の全長に亘って後方長辺内壁１３の高さ近くまで達する深さを有した細幅間隙１５を複数直列に配設したことによって、それら成形上生じやすい凹凸や反りなどの障害の発生を防止できると共に軽量化にもなった。【００２６】  なお、ペーパー収納部１の短辺内壁５の他に、二重に上蓋３の短辺外壁７があるから、全体として適当な重量感が得られるし、数種の着色樹脂を採用することにより、容器全体として色違いの容器ができる他に、上蓋３とペーパー収納部１とを異なった色彩のものと組合せし得て、色彩の異なった数種の容器を求めれば、購入者自身が、好みにより幾通りもの組合せが簡単にできるようになった。【００２７】  なお、上蓋３を幅広の短辺外壁７としたことによって、図７に見るように、上蓋３を開いた状態にしたままで、机上などに置いておくことも出来るようになった。
また、この細幅間隙１５を利用して壁などの釘に差込み、吊るすことも出来る。
【図面の簡単な説明】
【００２８】
【図１】この考案の実施例にて、上蓋を開いた状態で示した斜視図である。
【図２】この考案の実施例の平面図である。
【図３】図１の上蓋のみを、裏返しにした状態で示す平面図である。
【図４】図１のペーパー収納部のみの平面図である。
【図５】図４のペーパー収納部の裏面図である。
【図６】図１のペーパー収納部のみの左側面図である。
【図７】図１の左側面図である。
【考案を実施するための形態】
【００２９】  先ず、本考案に用いる合成樹脂の種類について述べる。成形に際して採用すべき種類については、特に限定されるものではないが、具体名を挙げると、ブタジエン樹脂、アクリル樹脂、スチレン樹脂、ポリアミド樹脂、ポリカーボネイト樹脂、ポリエチレン樹脂、アセタール樹脂、ポリプロピレン樹脂、又はこれらの樹脂の混合物などが使用可能である。
実施例としては、耐熱効果があり、硬さや衝撃強さ、低価格などから最適の、アクリル系で、ブタジエン及びスチレン系の樹脂を混ぜ合わせたＡＢＳ樹脂を採用した。
【００３０】  次に、本考案の実施の形態を、図１〜図７に基づいて説明する。先ず、ペーパー収納部１を図４において説明すると、長辺方向の横幅を１０８ｍｍ、短辺方向の縦幅を８２ｍｍとした。そして、ペーパーの収納部分である両短辺内壁５間の横幅を１０５ｍｍ、縦幅を７６ｍｍとした。深さは図示省略したが、１３．５ｍｍとした。
したがって、両短辺内壁５の厚さは１．５ｍｍである。
【００３１】  また、図６に示すように、下方に直径３ｍｍ弱で深さ２．５ｍｍとした丸穴１４を設けた後方長辺内壁１３の細幅間隙１５を有する部分の幅は、５ｍｍとし、細幅間隙１５は、図５に示すような２３×２．５ｍｍで深さを１９ｍｍとして４個を直列に配置した。
【００３２】  更に、同じく図６に見るように、両側面突起１１は、突起の高さを１ｍｍ、長さを７ｍｍとして前方長辺内壁６の前面から１２ｍｍのところの両短辺内壁５の外側面に、それぞれ垂直に配置した。同じく近くの両上蓋下げ止め突部１０は、両短辺内壁５の上辺から高さ３ｍｍのなだらかな円弧状体として突出形成させた。
【００３３】  次に、上蓋３は、図３において、長辺外壁９の長辺方向の横幅を１１３ｍｍ、短辺方向の縦幅を８４ｍｍとした。そして、上蓋３を閉じたときにペーパー収納部１を内包する上蓋３の両短辺外壁７間の横幅を１０９ｍｍ、後方長辺部４までの縦幅を７７ｍｍとした。
深さは、図示省略したが１８ｍｍとした。
【００３４】  したがって、両短辺内壁５の厚さは２ｍｍであり、内包するペーパー収納部１に対する片側面間の隙間は０．５ｍｍとなって、突起の高さが１ｍｍだから０．５ｍｍ分だけ片側の短辺外壁７と短辺内壁５同士で互いに圧接していることになる。
また、両短軸１２は、上蓋３を閉じたときにペーパー収納部１の丸穴１４に対応する位置である両短辺外壁７から、内方に向けて丸穴１４とほぼ同径の短軸１２が、長さを２ｍｍとして突設させた。
【００３５】  なお、ペーパー取出口２は、上蓋３表面中央部に、指先及びテイッシュペーパーの損傷防止のために、長径を７６ｍｍ、短径を大きめの４４ｍｍとした楕円形とし、長辺外壁９の下辺中央部の切欠辺部８は、長さ８０ｍｍで高さ７ｍｍとした。１６は、ペーパー取出口２の縁取り部である、
また、後方長辺部４に平行した１７は、上蓋３の表面から裏面に向けて設けた細長い斜平面部であり、目的は上蓋３の回動時に、後方長辺部４近傍が、ペーパー収納部１の後方長辺内壁１３の上辺に強接しないようにするためのものである。
【００３６】  勿論、この部分の接触による摩擦も、上蓋３の回動のしやすさに影響をするから、短軸１２の直径・側面突起１１の高さと相俟って総合的に設計すべきである。
以上詳記のように、比較的簡単な構成で安価に提供できて工業的に有益な考案である。
【符号の説明】
【００３７】  １  ペーパー収納部
２  ペーパー取出口
３  上蓋
４  後方長辺部
５  短辺内壁
６  前方長辺内壁
７  短辺外壁
８  切欠辺部
９  長辺外壁
１０  上蓋下げ止め突部
１１  側面突起
１２  短軸
１３  後方長辺内壁
１４  丸穴
１５  細幅間隙
【図１】
0003152932.tif 000003
【図２】
0003152932.tif 000004
【図３】
0003152932.tif 000005
【図４】
0003152932.tif 000006
【図５】
0003152932.tif 000007
【図６】
0003152932.tif 000008
【図７】
0003152932.tif 000009